(57)【要約】【課題】コストの低減を図る。【解決手段】ユニット基板と、ユニット基板と接続された電気伝送路と、その電気伝送路の末端に位置する末端コネクタとを備え、電気伝送路は複数のグランドラインを有し、ユニット基板から末端コネクタに至る経路にコネクタ接続部が少なくとも１箇所存在する電気ユニットにおける接続検知システムであり、ユニット基板１０内において複数のグランドラインのうち第１のグランドラインＧ１と第２のグランドラインＧ２を電気的に分離して第１のグランドラインＧ１に電位を与え、第２のグランドラインＧ２はグランド電位とし、末端コネクタ４０内において第１のグランドラインＧ１と第２のグランドラインＧ２を短絡し、ユニット基板１０に第１のグランドラインＧ１の電位を検出する検出部１２を設け、第１のグランドラインＧ１の電位がグランド電位になったことを示す検出部１２の出力によりコネクタ接続部の正常な接続状態を検知する。【選択図】図１
2012195275.tif 000002
【特許請求の範囲】
【請求項１】
ユニット基板と、そのユニット基板と接続された電気伝送路と、その電気伝送路の末端に位置する末端コネクタとを備え、前記電気伝送路は複数のグランドラインを有し、前記ユニット基板から前記末端コネクタに至る経路にコネクタ接続部が少なくとも１箇所存在する電気ユニットにおける接続検知システムであって、
前記ユニット基板内において、前記複数のグランドラインのうち、第１のグランドラインと第２のグランドラインとを電気的に分離して、第１のグランドラインに所定の電位を与え、第２のグランドラインはグランド電位とし、
前記末端コネクタ内において、前記第１のグランドラインと前記第２のグランドラインを短絡し、
前記ユニット基板に前記第１のグランドラインの電位を検出する検出部を設け、
前記第１のグランドラインの電位がグランド電位になったことを示す前記検出部の出力により前記コネクタ接続部の正常な接続状態を検知することを特徴とする接続検知システム。
【請求項２】
ユニット基板と、そのユニット基板と接続された電気伝送路と、その電気伝送路の末端に位置する末端基板とを備え、前記電気伝送路は複数のグランドラインを有し、前記ユニット基板から前記末端基板に至る経路にコネクタ接続部が少なくとも１箇所存在する電気ユニットにおける接続検知システムであって、
前記複数のグランドラインのうち、少なくとも第１のグランドラインと第２のグランドラインは前記末端基板内において互いに導通されており、
前記ユニット基板内において、前記第１のグランドラインと前記第２のグランドラインとを電気的に分離して、第１のグランドラインに所定の電位を与え、第２のグランドラインはグランド電位とし、
前記ユニット基板に前記第１のグランドラインの電位を検出する検出部を設け、
前記第１のグランドラインの電位がグランド電位になったことを示す前記検出部の出力により前記コネクタ接続部の正常な接続状態を検知することを特徴とする接続検知システム。
【請求項３】
ユニット基板と、そのユニット基板と接続された電気伝送路と、その電気伝送路の末端に位置する末端基板とを備え、前記電気伝送路は複数のグランドラインを有し、前記ユニット基板から前記末端基板に至る経路にコネクタ接続部が少なくとも１箇所存在する電気ユニットにおける接続検知システムであって、
前記ユニット基板内において、前記複数のグランドラインのうち、第１のグランドラインと第２のグランドラインとを電気的に分離して、第１のグランドラインに所定の電位を与え、第２のグランドラインはグランド電位とし、
前記末端基板内において、前記第１のグランドラインと前記第２のグランドラインを短絡し、
前記ユニット基板に前記第１のグランドラインの電位を検出する検出部を設け、
前記第１のグランドラインの電位がグランド電位になったことを示す前記検出部の出力により前記コネクタ接続部の正常な接続状態を検知することを特徴とする接続検知システム。
【請求項４】
請求項３記載の接続検知システムにおいて、
前記末端基板に前記電気伝送路と接続される基板コネクタが実装されている場合、前記短絡は前記基板コネクタ及び前記末端基板の少なくとも一つにおいて行われることを特徴とする接続検知システム。
【請求項５】
請求項３記載の接続検知システムにおいて、
前記末端基板に前記電気伝送路と接続される基板コネクタが実装され、かつ末端コネクタが実装されている場合、前記短絡は前記基板コネクタ、前記末端コネクタ及び前記末端基板の少なくとも一つにおいて行われることを特徴とする接続検知システム。
【請求項６】
請求項１乃至５記載のいずれかの接続検知システムにおいて、
前記ユニット基板内において、前記第１のグランドラインには抵抗器を介して電源が接続されていることを特徴とする接続検知システム。
【請求項７】
請求項１乃至６記載のいずれかの接続検知システムにおいて、
前記第１のグランドラインと前記第２のグランドラインとを接離可能なスイッチが前記ユニット基板に設けられ、
前記スイッチの前記第１のグランドラインとの接続部は前記検出部より前記電気伝送路側とされていることを特徴とする接続検知システム。
【請求項８】
請求項７記載の接続検知システムにおいて、
前記第１のグランドラインの電位がグランド電位になったことを示す前記検出部の出力により前記スイッチを制御して前記第１のグランドラインと前記第２のグランドラインとを短絡させるスイッチ制御部が前記ユニット基板に設けられていることを特徴とする接続検知システム。
【請求項９】
請求項１乃至８記載のいずれかの接続検知システムにおいて、
前記第１及び第２のグランドラインは電源グランドラインとフレームグランドラインとされていることを特徴とする接続検知システム。
【発明の詳細な説明】
【技術分野】
【０００１】
この発明はコネクタ接続部を有する電気ユニットにおいて、そのコネクタ接続部の接続状態を検知する接続検知システムに関する。
【背景技術】
【０００２】
例えば車載におけるＵＳＢやＩＥＥＥ  １３９４、ＨＤＭＩなどのシステムには、ユニット基板からダッシュボード等に設置された末端コネクタまでの電気伝送路に、一般に複数のコネクタ接続部が存在しており、このようなユニット基板から末端コネクタまでの電気ユニットにおいて、コネクタ接続部が全て正常に接続されているか否か、つまり電気ユニットの組み立てが正常に完了しているか否かの確認が製造時や据え付け時等において行われている。
【０００３】
従来においては、このような確認を行うために、コネクタに検知ピンを２本追加し、末端のコネクタがこの検知ピンを追加したコネクタに接続されると、末端のコネクタにより２本の検知ピンが短絡する構成とし、ユニット基板側で２本の検知ピン間がオープン状態から短絡状態になったことを検出することで、コネクタ接続部の正常な接続状態を検知するといったことが行われている。また、このような確認方法に替え、末端コネクタに実際にデバイスを挿入し、そのデバイスの使用可否でコネクタ接続部の接続状態を検知するといったことも行われている。
【０００４】
一方、このようなコネクタ接続部の接続状態を確認するための接続状況確認回路が特許文献１に記載されている。
【０００５】
特許文献１はコネクタ付き多芯ケーブルを用いるプリント配線基板間の接続を対象とするもので、多芯ケーブル内の２本の芯線を信号線対として用い、２枚のプリント配線基板のうちの一方に配置されたコネクタ用レセプタクルにおいて前記信号線対と接続されることになる１対の端子間に短絡線を接続し、２枚のプリント配線基板のうちの他方に配置されたコネクタ用レセプタクルには前記信号線対と接続されることになる１対の端子間に発光ダイオードを接続し、さらに発光ダイオードに抵抗器を介して直流電源を接続した構成となっている。
【０００６】
このような構成により、多芯ケーブルのコネクタ用プラグと２枚のプリント配線基板のコネクタ用レセプタクルがそれぞれ結合された時に、所定の結合状態では発光ダイオードが消灯した正常表示状態となり、所定の結合状態ではない状態では発光ダイオードが点灯した不正常表示状態となり、これにより接続状態を確認するものとなっている。
【先行技術文献】
【特許文献】
【０００７】
【特許文献１】特開２００５−５０６９８号公報
【発明の概要】
【発明が解決しようとする課題】
【０００８】
前述した車載システムにおける２本の検知ピンを用いて接続状態を検知する方法では、本来の電気伝送路以外に余分な２本の経路が必要となる。よって、２本の検知ピンを設ける分、コネクタが大型化し、さらに接続検知用の２本の経路を必要とする分、その経路（接続検知ライン）が電気伝送路のコスト増大の原因となっていた。加えて、電気伝送路としてケーブルを用いる場合、ケーブルが太くなるといった問題もあった。
【０００９】
また、実際にデバイスを挿入して接続状態を検知する方法では、デバイスの挿抜に対して工数が発生し、コストが増大するといった問題があった。
【００１０】
一方、特許文献１に記載されている方法も接続検知用の２本の余分な経路を必要とするものであって、コストの増大を招くものとなっている。
【００１１】
この発明の目的はこのような状況に鑑み、新たな経路を追加することなく、既存の経路を使ってコネクタ接続部の接続状態を検知することができるようにした接続検知システムを提供することにある。
【課題を解決するための手段】
【００１２】
請求項１の発明によれば、ユニット基板と、そのユニット基板と接続された電気伝送路と、その電気伝送路の末端に位置する末端コネクタとを備え、電気伝送路は複数のグランドラインを有し、ユニット基板から末端コネクタに至る経路にコネクタ接続部が少なくとも１箇所存在する電気ユニットにおける接続検知システムは、ユニット基板内において前記複数のグランドラインのうち、第１のグランドラインと第２のグランドラインとを電気的に分離して、第１のグランドラインに所定の電位を与え、第２のグランドラインはグランド電位とし、末端コネクタ内において第１のグランドラインと第２のグランドラインを短絡し、ユニット基板に第１のグランドラインの電位を検出する検出部を設け、第１のグランドラインの電位がグランド電位になったことを示す検出部の出力によりコネクタ接続部の正常な接続状態を検知する。
【００１３】
請求項２の発明によれば、ユニット基板と、そのユニット基板と接続された電気伝送路と、その電気伝送路の末端に位置する末端基板とを備え、電気伝送路は複数のグランドラインを有し、ユニット基板から末端基板に至る経路にコネクタ接続部が少なくとも１箇所存在する電気ユニットにおける接続検知システムは、前記複数のグランドラインのうち、少なくとも第１のグランドラインと第２のグランドラインは末端基板内において互いに導通されているものとされ、ユニット基板内において第１のグランドラインと第２のグランドラインとを電気的に分離して、第１のグランドラインに所定の電位を与え、第２のグランドラインはグランド電位とし、ユニット基板に第１のグランドラインの電位を検出する検出部を設け、第１のグランドラインの電位がグランド電位になったことを示す検出部の出力によりコネクタ接続部の正常な接続状態を検知する。
【００１４】
請求項３の発明によれば、ユニット基板と、そのユニット基板と接続された電気伝送路と、その電気伝送路の末端に位置する末端基板とを備え、電気伝送路は複数のグランドラインを有し、ユニット基板から末端基板に至る経路にコネクタ接続部が少なくとも１箇所存在する電気ユニットにおける接続検知システムは、ユニット基板内において前記複数のグランドラインのうち、第１のグランドラインと第２のグランドラインとを電気的に分離して、第１のグランドラインに所定の電位を与え、第２のグランドラインはグランド電位とし、末端基板内において第１のグランドラインと第２のグランドラインを短絡し、ユニット基板に第１のグランドラインの電位を検出する検出部を設け、第１のグランドラインの電位がグランド電位になったことを示す検出部の出力によりコネクタ接続部の正常な接続状態を検知する。
【００１５】
請求項４の発明では請求項３の発明において、末端基板に電気伝送路と接続される基板コネクタが実装されている場合、前記短絡は基板コネクタ及び末端基板の少なくとも一つにおいて行われる。
【００１６】
請求項５の発明では請求項３の発明において、末端基板に電気伝送路と接続される基板
コネクタが実装され、かつ末端コネクタが実装されている場合、前記短絡は基板コネクタ、末端コネクタ及び末端基板の少なくとも一つにおいて行われる。
【００１７】
請求項６の発明では請求項１乃至５のいずれかの発明において、ユニット基板内において第１のグランドラインには抵抗器を介して電源が接続されているものとされる。
【００１８】
請求項７の発明では請求項１乃至６のいずれかの発明において、第１のグランドラインと第２のグランドラインとを接離可能なスイッチがユニット基板に設けられ、スイッチの第１のグランドラインとの接続部は検出部より電気伝送路側とされる。
【００１９】
請求項８の発明では請求項７の発明において、第１のグランドラインの電位がグランド電位になったことを示す検出部の出力によりスイッチを制御して第１のグランドラインと第２のグランドラインとを短絡させるスイッチ制御部がユニット基板に設けられているものとされる。
【００２０】
請求項９の発明では請求項１乃至８のいずれかの発明において、第１及び第２のグランドラインは電源グランドラインとフレームグランドラインとされる。
【発明の効果】
【００２１】
この発明によれば、新たな経路を追加することなく、既存の経路を使ってコネクタ接続部の接続状態を検知することができ、よって従来に比し、コストの低減を図ることができる。また、電気伝送路がケーブルで構成される場合、従来に比し、ケーブルの細線化を図ることができ、さらにコネクタの小型化を図ることもできる。
【図面の簡単な説明】
【００２２】
【図１】この発明による接続検知システムの第１の実施例を説明するための図、Ａは電気ユニットのユニット基板を示す図、Ｂは電気ユニット全体を示す図。
【図２】この発明による接続検知システムの第２の実施例を説明するための図、Ａは電気ユニットのユニット基板を示す図、Ｂは電気ユニット全体を示す図。
【図３】この発明による接続検知システムの第３の実施例を説明するための図、Ａは電気ユニットのユニット基板を示す図、Ｂは電気ユニット全体を示す図。
【図４】この発明による接続検知システムの第４の実施例を説明するための図、Ａは電気ユニットのユニット基板を示す図、Ｂは電気ユニット全体を示す図。
【図５】この発明による接続検知システムの第５の実施例を説明するための図、Ａは電気ユニットのユニット基板を示す図、Ｂは電気ユニット全体を示す図。
【図６】この発明による接続検知システムの第６の実施例を説明するための図。
【図７】この発明による接続検知システムの第７の実施例を説明するための図。
【図８】この発明による接続検知システムの第８の実施例を説明するための図。
【図９】この発明による接続検知システムの第９の実施例を説明するための図。
【発明を実施するための形態】
【００２３】
この発明の実施形態を図面を参照して実施例により説明する。
【実施例１】
【００２４】
図１はこの発明による接続検知システムの実施例を説明するための図である。電気ユニット１００はこの例では図１Ｂに示したように、ユニット基板１０と、電気伝送路を構成する第１及び第２のケーブル２０，３０と、末端コネクタ４０とを備えている。第１のケーブル２０はコネクタ付きとされ、一方のコネクタ２１はユニット基板１０の基板コネクタ１１と接続され、他方のコネクタ２２は同じくコネクタ付きとされた第２のケーブル３０の一方のコネクタ３１と接続される。第２のケーブル３０の他方のコネクタ３２は末端コネクタ４０と接続される。これにより、この例では電気ユニット１００はユニット基板１０から末端コネクタ４０に至る経路に３箇所、コネクタ接続部Ｃ１〜Ｃ３を有するもの
となっている。
【００２５】
第１及び第２のケーブル２０，３０はこの例ではグランドラインを２つ有するものとなっている。例えば、末端コネクタ４０がＵＳＢコネクタの場合、電源グランドピン及びシェル（フレームグランド）の２つのグランドを有し、これら電源グランドピン及びシェルとそれぞれ接続されたグランドラインが図１Ｂ中に破線で示したように存在する。
【００２６】
これら２つのグランドラインＧ１，Ｇ２は、この例ではユニット基板１０内において電気的に分離され、第１のグランドラインＧ１には抵抗器Ｒを介して電源Ｖｃｃが接続されている。これにより所定の電位が第１のグランドラインＧ１に与えられている。第２のグランドラインＧ２はグランド電位に落とされている。ユニット基板１０には第１のグランドラインＧ１の電位を検出する検出部１２が設けられている。
【００２７】
一方、第１のグランドラインＧ１と第２のグランドラインＧ２は末端コネクタ４０内において短絡線４１により短絡されている。短絡線４１はこの例では電線として示しているが、電線に限らず、２本のグランドラインを電気的に接続するものであれば何でもよい。
【００２８】
上記のような構成において、電気ユニット１００のコネクタ接続部Ｃ１〜Ｃ３が接続されておらず、例えば図１Ａに示したようにユニット基板１０が単独で存在する場合、第１のグランドラインＧ１は所定の電位を有するため、検出部１２はこの電位、即ちＨ（ハイ）の状態を検出し、検出出力“１”を出力する。
【００２９】
これに対し、電気ユニット１００の全てのコネクタ接続部Ｃ１〜Ｃ３が正常に接続されると、末端コネクタ４０において第１のグランドラインＧ１と第２のグランドラインＧ２が短絡されているため、第１のグランドラインＧ１の電位はグランド電位となる。つまり、Ｌ（ロー）の状態となり、検出部１２はこのＬの状態を検出すると、検出出力“０”を出力する。
【００３０】
このように、この例では検出部１２の検出出力が“０”になったことをもって、言い換えれば第１のグランドラインＧ１の電位がグランド電位になったことをもって、全てのコネクタ接続部Ｃ１〜Ｃ３の正常な接続状態を検知することができるものとなっている。使用する第１及び第２のグランドラインＧ１，Ｇ２は既存のものであるため、コネクタ接続状態の検知用として従来のように検出ライン（検出経路）を追加する必要はなく、よってコストを低減することができる。
【００３１】
なお、第１のグランドラインＧ１は電源グランドライン及びシェルと接続されたフレームグランドラインのいずれであってもよい。
【００３２】
一方、この発明は既存のグランドラインを２つ使用するものであるが、グランドラインが複数存在する形態は末端コネクタ４０がＵＳＢコネクタである場合に限らない。例えば、末端コネクタ４０がＩＥＥＥ  １３９４コネクタやＨＤＭＩコネクタなどであってもよい。また、使用する２つのグランドラインは電源グランドラインと、シェルやシールドと接続されているフレームグランドラインとの組み合わせに限らず、他のグランドライン（例えば、シグナルグランドライン）を用いるどの組み合わせであってもよい。さらに、電源グランドラインが複数存在したり、シグナルグランドラインが複数存在する場合等は同じグランドラインの組み合わせであってもよい。
【実施例２】
【００３３】
次に、図２に示した電気ユニットの構成における接続検知システムの実施例について説明する。
図２Ｂに示した電気ユニット２００は図１Ｂに示した電気ユニット１００において電気伝送路の末端に末端コネクタ４０を具備していたのに対し、末端コネクタ４０に替えて末端基板５０を具備するものである。末端基板５０は基板コネクタ５１を備えており、第２のケーブル３０のコネクタ３２はこの基板コネクタ５１に接続される。
【００３４】
このような構成の電気ユニット２００では第１のグランドラインＧ１と第２のグランドラインＧ２とは末端基板５０内において一般的には導通されている。従って、この例では図１Ｂに示した電気ユニット１００のように第１のグランドラインＧ１と第２のグランドラインＧ２を短絡させる短絡線４１を設ける必要はなく、電気ユニット２００の全てのコネクタ接続部Ｃ１〜Ｃ３が正常に接続されると、第１のグランドラインＧ１と第２のグランドラインＧ２が末端基板５０で導通されているため、第１のグランドラインＧ１の電位はグランド電位となる。これにより、図１を用いて説明した場合と同様、全てのコネクタ接続部Ｃ１〜Ｃ３の正常な接続状態を検知することができる。
【実施例３】
【００３５】
実施例２では末端基板５０において第１のグランドラインＧ１と第２のグランドラインＧ２とが予め導通されている場合を説明したが、実施例３では導通されていない場合について説明する。
【００３６】
図３Ｂに示した電気ユニット３００は実施例２の電気ユニット２００と同様、末端基板６０を電気伝送路の末端に具備している。末端基板６０には基板コネクタ６１が実装されており、第２のケーブル３０のコネクタ３２はこの基板コネクタ６１に接続される。
【００３７】
末端基板６０において第１のグランドラインＧ１と第２のグランドラインＧ２とは導通されておらず、よってこの例では短絡線によって第１のグランドラインＧ１と第２のグランドラインＧ２とを短絡させる。図３Ｂでは短絡線６２を用い、基板コネクタ６１内で第１のグランドラインＧ１と第２のグランドラインＧ２を短絡させているが、基板コネクタ６１内ではなく、末端基板６０において短絡させるようにしてもよい。
【００３８】
このように末端基板において第１のグランドラインＧ１と第２のグランドラインＧ２とが導通されていない場合には短絡線により短絡させることによりコネクタ接続部Ｃ１〜Ｃ３の接続状態を実施例１と同様、検知することができる。
【実施例４】
【００３９】
次に、末端基板がさらに末端コネクタを備えている場合について説明する。
図４Ｂに示した電気ユニット４００は前述した実施例２における電気ユニット２００に対し、さらに末端コネクタが備わった構成を示したものである。この例では電気ユニット４００は電気伝送路の末端に末端基板７０を具備し、この末端基板７０には基板コネクタ７１と末端コネクタ７２が実装されている。基板コネクタ７１には第２のケーブル３０のコネクタ３２が接続される。
【００４０】
上述したように末端基板７０は基板コネクタ７１と末端コネクタ７２を有するものの、第１のグランドラインＧ１と第２のグランドラインＧ２とはこの例では末端基板７０において予め導通されている。よって、全てのコネクタ接続部Ｃ１〜Ｃ３を接続すれば、コネクタ接続部Ｃ１〜Ｃ３の接続状態が正常か否かを実施例１と同様、検知することができる。
【実施例５】
【００４１】
実施例５では実施例４と同様、末端基板が基板コネクタ及び末端コネクタを備えているものの、第１のグランドラインＧ１と第２のグランドラインＧ２が末端基板において導通
されていない場合について説明する。
【００４２】
図５Ｂに示したように電気ユニット５００は電気伝送路の末端に末端基板８０を具備している。末端基板８０には基板コネクタ８１と末端コネクタ８２が実装されている。基板コネクタ８１には第２のケーブル３０のコネクタ３２が接続される。
【００４３】
末端基板８０において第１のグランドラインＧ１と第２のグランドラインＧ２とは導通されておらず、よって短絡線によって第１のグランドラインＧ１と第２のグランドラインＧ２とを短絡させる。図５Ｂでは短絡線８３を用い、末端コネクタ８２内で第１のグランドラインＧ１と第２のグランドラインＧ２を短絡させているが、短絡は末端コネクタ８２内ではなく、基板コネクタ８１内にて行うようにしてもよく、また末端基板８０において短絡させるようにしてもよい。
【００４４】
このように末端コネクタ８２、基板コネクタ８１、末端基板８０のいずれかにおいて、第１のグランドラインＧ１と第２のグランドラインＧ２とを短絡させることによりコネクタ接続部Ｃ１〜Ｃ３の接続状態を実施例１と同様、検知することができる。
【実施例６】
【００４５】
図６は実施例６の構成を示したものである。この例では図１に示した電気ユニット１００のユニット基板１０にスイッチとスイッチ制御部とを付加したものとなっている。
【００４６】
この発明による接続検知システムを具備しない電気ユニットにおいて、電気伝送路に電源ラインがある場合、電源ラインを流れる電流のリターン電流は第１のグランドラインＧ１及び第２のグランドラインＧ２の両方に流れることもある。
【００４７】
しかしながら、この発明では上述した実施例に示すように、第１のグランドラインＧ１の電位を引き上げるために抵抗器Ｒを介して電源Ｖｃｃを接続しており、検出部１２の入力抵抗は第１のグランドラインＧ１及び第２のグランドラインＧ２の抵抗に比べて非常に大きいため、リターン電流は第１のグランドラインＧ１にはほとんど流れず、第２のグランドラインＧ２に流れる。
【００４８】
従って、電気ユニットのコネクタ接続部の接続状態を検知した後、検出部１２の前段で第１のグランドラインＧ１と第２のグランドラインＧ２とを短絡させる。これにより、第１のグランドラインＧ１を流れるリターン電流は検出部１２の入力抵抗の影響を受けなくなるため、第１のグランドラインＧ１と第２のグランドラインＧ２の両方にリターン電流が流れ、電気伝送路における電圧降下を低減することができるものとなる。
【００４９】
上記のような観点から図６に示した電気ユニット１００’はユニット基板１０’にスイッチ１３とスイッチ制御部１４とを備えている。
【００５０】
スイッチ１３は第１のグランドラインＧ１と第２のグランドラインＧ２とを接離可能とされ、スイッチ１３の第１のグランドラインＧ１との接続部は抵抗器Ｒの接続部より電気伝送路側とされている。
【００５１】
スイッチ制御部１４はスイッチ１３をＯＮ／ＯＦＦ制御するもので検出部１２の出力が入力される。スイッチ制御部１４はコネクタ接続部Ｃ１〜Ｃ３が正常に接続され、第１のグランドラインＧ１の電位がグランド電位となって、検出部１２から検出出力“０”が入力されると、スイッチ１３をＯＮとし、第１のグランドラインＧ１と第２のグランドラインＧ２とを短絡させる。これにより、電気ユニット１００’の組み立てが正常に完了した状態で、上述したように電気伝送路における電圧降下を低減することが可能となる。
【実施例７】
【００５２】
実施例７は実施例６の構成に対し、スイッチ制御部１４のない構成としたものであり、この例では図７に示したように電気ユニット１００”のユニット基板１０”にスイッチ１３が設けられた構成となっている。このスイッチ１３は電気ユニット１００”の組み立てが正常に完了した状態で人（作業者）が操作するものとなっており、このようにスイッチ１３をマニュアル操作するものとしてもよい。
【実施例８】
【００５３】
図８は実施例８の構成を示したものである。この例では図１に示した電気ユニット１００のユニット基板１０に、実施例６と同様、スイッチとスイッチ制御部を付加したものとなっている。
【００５４】
電気ユニット１００ａはユニット基板１０ａにスイッチ１５とスイッチ制御部１４を備え、スイッチ１５はこの例では電源Ｖｃｃと第１のグランドラインＧ１とを接離可能とされている。
【００５５】
この発明では第１のグランドラインＧ１の電位を引き上げるために抵抗器Ｒを介して電源Ｖｃｃを接続しており、検出部１２の入力抵抗は第１のグランドラインＧ１及び第２のグランドラインＧ２の抵抗に比べて非常に大きいが、電源Ｖｃｃから第２のグランドラインＧ２に僅かに電流が漏れ流れる。
【００５６】
従って、電気ユニット１００ａのコネクタ接続部Ｃ１〜Ｃ３の接続状態を検知した後、電源Ｖｃｃと第１のグランドラインＧ１を開放させる。これにより、電源Ｖｃｃから第２のグランドラインＧ２に僅かに流れる電流をなくすことが可能となる。
【００５７】
スイッチ制御部１４はこの例ではコネクタ接続部Ｃ１〜Ｃ３が正常に接続され、第１のグランドラインＧ１の電位がグランド電位となって、検出部１２から検出出力“０”が入力されると、スイッチ１５をＯＦＦとする。
【実施例９】
【００５８】
実施例９は実施例８の構成に対し、スイッチ制御部１４のない構成としたものであり、この例では図９に示したように電気ユニット１００ｂのユニット基板１０ｂにスイッチ１５が設けられた構成となっている。このスイッチ１５は電気ユニット１００ｂの組み立てが正常に完了した状態で人（作業者）が操作するものとなっており、このようにスイッチ１５をマニュアル操作するものとしてもよい。
【００５９】
なお、実施例６，７，８及び９では実施例１に示した電気ユニット１００の構成にスイッチ１３とスイッチ制御部１４、スイッチ１５とスイッチ制御部１４あるいはスイッチ１３やスイッチ１５のみを付加した構成となっているが、いずれの実施例にも同様に付加してもよい。
【符号の説明】
【００６０】
１０，１０’，１０”，１０ａ，１０ｂ    ユニット基板     
１１  基板コネクタ                    １２  検出部                              １３，１５  スイッチ                  １４  スイッチ制御部                  
２０  第１のケーブル                  ２１，２２  コネクタ                  
３０  第２のケーブル                  ３１，３２  コネクタ                  
４０  末端コネクタ                    ４１  短絡線                          
５０  末端基板                        ５１  基板コネクタ                    
６０  末端基板                        ６１  基板コネクタ                    
６２  短絡線                          ７０  末端基板                        
７１  基板コネクタ                    ７２  末端コネクタ                    
８０  末端基板                        ８１  基板コネクタ                    
８２  末端コネクタ                    ８３  短絡線
１００，１００’，１００”，１００ａ，１００ｂ  電気ユニット
２００，３００，４００，５００  電気ユニット
Ｃ１，Ｃ２，Ｃ３  コネクタ接続部      Ｇ１  第１のグランドライン
Ｇ２  第２のグランドライン            Ｒ  抵抗器
【図１】
2012195275.tif 000003
【図２】
2012195275.tif 000004
【図３】
2012195275.tif 000005
【図４】
2012195275.tif 000006
【図５】
2012195275.tif 000007
【図６】
2012195275.tif 000008
【図７】
2012195275.tif 000009
【図８】
2012195275.tif 000010
【図９】
2012195275.tif 000011